(57)【要約】【課題】光ピックアップ装置において、レーザ駆動回路の過度な温度上昇によって、レーザ素子が温度上昇し、光ディスク上への情報の記録再生品質が低下する。【解決手段】光ピックアップ筺体には、光ディスクに対向する上面から光ピックアップ筺体下面まで、凹形状に窪んだ溝を形成しており、この凹形状に窪んだ溝と外周側にネジ止めによって光ピックアップ筺体に固定された回路基板によって空気流が流れる導風路を形成する。このとき、レーザ駆動回路素子は回路基板の導風路に面した側に取り付けられている。また、光ピックアップ筺体の上面に取り付けられ、レーザ素子と熱的に接続されている放熱カバーには、光ピックアップ筺体上面の導風路の開口部に、導風路が光ピックアップ筺体下面の開口部から光ディスクに対向する面まで連通するように導風路の開口と略同一形状となる開口部を形成する。【選択図】図２
2011150769.tif 000002
【特許請求の範囲】
【請求項１】
レーザ発光部となるレーザ素子と、このレーザ素子の発光を制御するレーザ駆動回路素子と、前記レーザ素子と熱的に接続されたカバーと、前記レーザ駆動回路素子を搭載し、前記光ピックアップ筺体の側面に固定された回路基板と、レーザ光を光ディスク上に集光させる対物レンズと、この対物レンズを駆動させる対物レンズ駆動装置とを収納した光ピックアップ筐体を備えた光ピックアップ装置において、
光ディスクと対向する前記光ピックアップ筺体の上面から前記光ピックアップ筺体下面まで窪んだ溝を設け、この溝を前記レーザ駆動回路素子を搭載した回路基板で閉塞して空気の導風路を設けるとともに、
前記レーザ駆動回路素子を前記導風路内に位置させたことを特徴とする光ピックアップ装置。
【請求項２】
請求項１記載の光ピックアップにおいて、
前記光ディスク側に面する前記カバーに前記導風路と連通する開口部を設けたことを特徴とする光ピックアップ装置。
【請求項３】
請求項１記載の光ピックアップ装置において、
前記導風路の断面積が前記レーザ駆動回路素子部分で狭められていることを特徴とする光ピックアップ装置。
【請求項４】
請求項１記載の光ピックアップ装置において、
前記カバーの開口部が前記光ディスクから３mm以内の距離に形成されていることを特徴とする光ピックアップ装置。
【請求項５】
請求項１記載の光ピックアップ装置において、
前記カバーに設けられた開口部に筒状の立上がり部を設け、この立上がりの先端を対向前記光ディスク面に接近させたことを特徴とする光ピックアップ装置。
【請求項６】
請求項１記載の光ピックアップ装置において、
前記カバーに設けられた開口部に筒状の立上がり部を設け、この立上がり部の先端に対向することを特徴とする光ピックアップ装置。
【請求項７】
請求項１記載の光ピックアップ装置において、
前記導風路を前記回路基板で形成したことを特徴とする光ピックアップ装置。
【発明の詳細な説明】
【技術分野】
【０００１】
本発明は、光ディスクに情報の記録および再生を行う光ピックアップ装置に関する。
【背景技術】
【０００２】
光ピックアップ装置とは、光ディスク装置に搭載され、光ディスク上の情報の記録および再生を行う際に光ディスク上に照射するレーザ光を制御する装置である。
【０００３】
この光ピックアップ装置内にはレーザを発振するレーザ素子と、このレーザ素子を制御するためのレーザ駆動回路素子とが搭載されている。このレーザ駆動回路素子はレーザ素子からのレーザ発振時に発熱するため素子の温度が上昇する。
【０００４】
しかしレーザ素子の出力特性として、レーザ素子が高温の時に劣化するという温度特性があり、過度な温度上昇は情報の記録・再生精度の低下を招く。さらに破損など光ピックアップ装置の信頼性の低下を招く。そのため、光ピックアップ装置では、レーザ素子を保護するために保証温度以下とする設計がなされている。
【０００５】
ところで、近年光ディスク装置においては情報の記録および再生速度の向上が求められている。その際、光学的、電気的な信号の転送速度の向上が求められる。光ピックアップ装置における転送速度の向上にはレーザ素子およびレーザ駆動回路素子の出力を大きくする必要がある。
【０００６】
しがって、レーザ素子およびレーザ駆動回路素子の発熱量の増大による素子の温度上昇がさらに深刻な課題となっており、放熱性の向上は必須である。
【０００７】
この課題を解決するために従来では光ドライブ装置のディスクトレイに開口部を設け、この開口部によって光ディスクの回転にて生じる空気の回転流を光ピックアップ装置まで導いて光ピックアップ装置を冷却する放熱構造がとられてきた。
【０００８】
例えば、特許文献1では光ディスクの回転により発生した空気流を光ピックアップの支持部分に設けた通風孔から光ピックアップ装置に導くことで放熱する構造のものがある。
【０００９】
また特許文献２では、光ディスク装置の支持板に通風孔を設け、この通風穴から光ディスクと支持板の隙間の気圧変化によって生じる旋回流を導入することで光ピックアップ装置を冷却するものがある。
【００１０】
さらに特許文献３では、光ドライブ装置の構造によらず光ピックアップ装置のレーザ駆動回路素子を配置した回路基板と光ピックアップ筺体の間に広い空間を設け、その空間に回転流を導入することでレーザ駆動回路素子を冷却するものがある。
【００１１】
このように、従来は光ピックアップ装置に空気流を導くことで光ピックアップ装置全体の冷却を促進している。
【先行技術文献】
【特許文献】
【００１２】
【特許文献１】特開２００５−１６６２１８号公報
【特許文献２】特開２００５−３１０１９２号公報
【特許文献３】特開２００７−１９３８６１号公報
【発明の概要】
【発明が解決しようとする課題】
【００１３】
レーザ素子の温度上昇は、レーザ駆動回路素子の発熱に大きく左右されることが分かっている。
【００１４】
つまり、レーザ駆動回路素子によって発生した熱は光ピックアップ装置内を伝わり、レーザ素子の周囲温度を上昇させてしまうためにレーザ素子に影響されるものである。
【００１５】
そこで、レーザ駆動回路素子を積極的に冷却することで、レーザ駆動回路素子自身も保証温度以下で安定して動作させることができ、さらにレーザ素子の温度上昇を抑制することができる。
【００１６】
しかし、回転流を光ピックアップに導入するための空間を大きく設けると、光ピックアップ装置の強度が低下し信頼性が低下するという二次的な問題がある。
【００１７】
本発明の目的は、光ピックアップ内に設ける空間を大きくすることなくレーザ駆動回路素子を冷却し、光ピックアップ装置の信頼性が低下することを防ぐ光ピクアップ装置を提供することにある。
【課題を解決するための手段】
【００１８】
上記目的は、レーザ発光部となるレーザ素子と、このレーザ素子の発光を制御するレーザ駆動回路素子と、前記レーザ素子と熱的に接続されたカバーと、前記レーザ駆動回路素子を搭載し、前記光ピックアップ筺体の側面に固定された回路基板と、レーザ光を光ディスク上に集光させる対物レンズと、この対物レンズを駆動させる対物レンズ駆動装置とを収納した光ピックアップ筐体を備えた光ピックアップ装置において、光ディスクと対向する前記光ピックアップ筺体の上面から前記光ピックアップ筺体下面まで窪んだ溝を設け、この溝を前記レーザ駆動回路素子を搭載した回路基板で閉塞して空気の導風路を設けるとともに、前記レーザ駆動回路素子を前記導風路内に位置させたことにより達成される。
【００１９】
また上記目的は、前記光ディスク側に面する前記カバーに前記導風路と連通する開口部を設けたことにより達成される。
【００２０】
また上記目的は、前記導風路の断面積が前記レーザ駆動回路素子部分で狭められていることにより達成される。
【００２１】
また上記目的は、前記カバーの開口部が前記光ディスクから３mm以内の距離に形成されていることにより達成される。
【００２２】
また上記目的は、前記カバーに設けられた開口部に筒状の立上がり部を設け、この立上がりの先端を対向前記光ディスク面に接近させたことにより達成される。
【００２３】
また上記目的は、前記カバーに設けられた開口部に筒状の立上がり部を設け、この立上がり部の先端に対向する前記光ディスク面への空気案内板を設けたことにより達成される。
【００２４】
また上記目的は、前記導風路を前記回路基板で形成したことにより達成される。
【発明の効果】
【００２５】
本発明によれば、光ピックアップ内に設ける空間を大きくすることなくレーザ駆動回路素子を冷却し、光ピックアップ装置の信頼性が低下することを防ぐ光ピクアップ装置を提供できる。
【図面の簡単な説明】
【００２６】
【図１】図１は光ピックアップ装置１を搭載した光ディスク装置２の概略内部構成を示す上面図である。
【図２】図２は図１のＡ−Ａ’断面図である。
【図３】図３は光ピックアップ装置の斜視図である。
【図４】図４は図３のＡ−Ａ’線断面図である。
【図５】図５は図４のＢ−Ｂ’線断面図である。
【図６】図６は第二の実施例を備えた光ピックアップ装置の斜視図である。
【図７】図７は図６のＡ−Ａ’線断面図である。
【図８】図８は図７のＢ−Ｂ’線断面図である。
【図９】図９は第三の実施例を備えた光ピックアップの斜視図である。
【図１０】図１０は図９のＡ−Ａ’線断面図である。
【図１１】図１１は数値流体シミュレーションの結果を示すグラフ図である。
【図１２】図１２は第四の実施例を備えた光ピックアップの斜視図である。
【図１３】図１３は図１２のＡ−Ａ’線断面図である。
【図１４】図１４は第五の実施例を備えた光ピックアップの実施例を備えた光ピックアップの斜視図である。
【図１５】図１５は図１４のＡ−Ａ’線断面図である。
【発明を実施するための形態】
【００２７】
さて、レーザ素子そのもの冷却については、光ピックアップ装置を構成する放熱カバーにレーザ素子を熱的に接触させて放熱させることが一般的であった。ところが上述したように情報の記録・再生速度が高くなって以降、レーザ素子の発熱量がますます大きくなってしまったことから、放熱カバーに接触させるだけでは放熱が不足することが分かった。
【００２８】
またレーザ素子そのものの発熱は当然のことながら、このレーザ素子を制御するレーザ駆動回路素子の発熱もあり、この熱がレーザ素子に影響を与えていることも無視できない。そのためレーザ駆動回路素子にディスクの回転風を直接当てて冷却するという手段が考えられるが、風がレーザ駆動回路素子に吹付けられるため光ピックアップ全体が揺れて光ディスク装置そのものの性能に悪影響を及ぼすという問題がある。
【００２９】
そこで本願発明の発明者らは、光ディスク装置内で高速に回転する光ディスクの表面で生じる負圧と、裏面側の大気圧の圧力差を利用することに着目した。
【００３０】
つまり、光ディスクが高速で回転すると回転風が外周に向かって押し出されるため空気流の流速が増大してディスク表面は負圧ぎみとなる。一方、ディスクから離れた部分は大気圧に近いため、ディスク表面近傍とディスクから離れた部分の圧力差を利用してレーザ駆動回路素子を冷却し、間接的にレーザ素子の温度上昇を抑えることを考えたものである。
【００３１】
このように、圧力差を利用してレーザ素子に冷却風を効率よく導入するにあたり発明者らが種々検討した結果、以下のような実施例を得たので以下にその内容を説明する。
【００３２】
本実施例を説明するにあたり、図１〜図３で光ディスク装置と光ピックアップの構造を説明する。
【００３３】
図１は光ピックアップ装置１を搭載した光ディスク装置２の概略内部構成を示す上面図である。
【００３４】
図２は図１のＡ−Ａ’断面図である。
【００３５】
図３は光ピックアップ装置の斜視図である。
【００３６】
図１〜図３において、光ディスク装置２では、光ディスク３がスピンドルモータ２１によって回転方向３ａ方向に回転する。光ピックアップ１は光ディスク装置２のカバー２３の下に配置されている。
【００３７】
この光ピックアップ１は光ディスク装置２に設けられた案内軸２２ａ、２２ｂによって支持されている。光ピックアップ１は再生・記録動作を行う際、案内軸２２ａ、２２ｂに沿って内周側と外周側の間を移動する。さらに、光ディスク３が回転することで光ディスク３上の情報を再生したり、情報を記録したりすることができる。
【００３８】
このときの光ディスク３の回転によって回転方向３ａに沿った空気流４が図２に示すように生じ、光ディスク３と光ピックアップ装置１との間を流れる。
【００３９】
光ピックアップ１の外観を構成する光ピックアップ筺体１１の側面には光ディスク３上の情報の記録・再生を行うためのレーザ発光部となるレーザ素子１７が固定されている。さらにこのレーザ素子１７の発光を制御するレーザ素子駆動回路１５がレーザ素子１７と熱的に接触しながら固定されている。
【００４０】
図１に示すように、光ピックアップ筺体１１の上面にはレーザ素子駆動回路１５が取り付けられた回路基板１３が取り付けられている。さらにレーザ光を光ディスク３上に集光させる対物レンズ１６と、この対物レンズ１６を駆動させる対物レンズ駆動装置１６ａ（図３に示す）と光学検出器と光学ユニット（図示せず）とが固定されている。放熱カバー１４は光ピックアップ装置１内で発生した熱を放熱させるものである。
【００４１】
光ピックアップ１は回路基板１３に取り付けられたフレキシブル基板１２を介して光ディスク装置２に接続されている。また、レーザ素子１７と放熱カバー１４とは熱的に接続されており、レーザ素子１７の熱は放熱カバー１４から大気中に放熱される。
【００４２】
なお、各構成要素の材料は例えば光ピックアップ筺体１１がマグネシウム、亜鉛、アルミニウムといった金属ダイカストが一般的である。しかし近年ではコスト低減のため、プラスチックに置き換えられている。また、回路基板１３は銅配線を含むプラスチックで形成され、放熱カバー１４は銅合金やアルミニウムなどで形成されている。
【００４３】
第１の実施例を図を用いて以下の通り説明する。
【実施例１】
【００４４】
図４は図３のＡ−Ａ’線断面図である。
【００４５】
図５は図４のＢ−Ｂ’線断面図である。
【００４６】
図４、図５において、光ピックアップ１には光ディスク３に対向する上面から光ピックアップ筐体１１の下面に達するまでの凹形状に窪んだ溝１１ａが形成されている。この凹形状に窪んだ溝１１ａを覆うようにその光ピックアップ筐体１１外周側に回路基板１３がネジによって固定されている。この回路基板１３が溝１１ａを覆うことによって空気流が流れる導風路１１ｂが形成される。このとき、レーザ駆動回路素子１５は回路基板１３の導風路１１ｂに面した側に取り付けられている。
【００４７】
光ピックアップ筺体１１の上面に取り付けられている放熱カバー１４には光導風路１１ｂの開口となる開口部５ａが形成されている。この開口部５ａと連通し、光ピックアップ筺体１１の下面には開口部５ｂが形成されている。この開口部５ｂから光ディスク３に対向する面の開口部５ａまでは導風路１１ｂによって連通することになる。これらの開口部５ａ、５ｂによって道風路１１ｂは略同一形状となった、言わばトンネル状の通風路となっている。このとき、光ピックアップ筺体１１に形成した溝１１ａは例えば深さ３ｍｍ、幅１０ｍｍ程度でよい。
【００４８】
つまり、この道風路１１ｂは図５の点線で囲われた負圧領域と大気圧領域とが連通するように光ピックアップ筐体１１を貫通する通路となっている。
【００４９】
この道風路１１ｂを設けたことによる作用と効果を以下に説明する。
【００５０】
光ディスク３の回転３ａによって、光ディスク３の近傍では非常に速い空気の流れ４が生じる。この速い流れ４によって光ディスク表面近傍では圧力が低下する。一方、光ディスク３から離れた位置では、空気の流れは非常に弱いため空気の流れは遅く、圧力は大気圧程度である（光ディスク載置板導風路２３ａ、２３ｂを境として光ディスク３側近傍が負圧、光ディスク載置板導風路２３ａ、２３ｂ下側が大気圧）。２４ａ、２４ｂは光ディスク装置駆動部材である。
【００５１】
このような現象から、光ピックアップ筺体１１に形成した導風路１１ｂ内に圧力差による空気流６ａ、６ｂが生じる。この空気流６ａ、６ｂによって導風路１１ｂの内壁面を構成する回路基板１３に取り付けられたレーザ駆動回路素子１５が空気流６ａ、６ｂによって積極的に冷却される。
【００５２】
つまり、光ディスク載置板導風路２３ａ、２３ｂを境として光ディスク３側近傍が負圧になり、光ディスク載置板導風路２３ａ、２３ｂ下側が大気圧となっている。したがって、その圧力差によって冷却空気は導風路１１ｂの開口部５ｂから流入し、レーザ駆動回路素子１５を冷却した後、開口部５ａから流出する。
【００５３】
このように、本実施例によればレーザ駆動回路素子１５は温度上昇が低減されるのでレーザ素子１７の過度の温度上昇を低減され、光ピックアップ装置１の信頼性の低下を防ぐことができる。
【実施例２】
【００５４】
第２の実施例を図図６〜図８で説明する。
【００５５】
図６は第二の実施例を備えた光ピックアップ装置の斜視図である。
【００５６】
図７は図６のＡ−Ａ’線断面図である。
【００５７】
図８は図７のＢ−Ｂ’線断面図である。
【００５８】
図６、図７、図８において、第二の実施例は第一の実施例と同様に、光ピックアップ筺体１１には、光ディスク３に対向する上面から光ピックアップ筺体１１下面まで、凹形状に窪んだ溝１１ａを形成されている。この凹形状に窪んだ溝１１ａは回路基板１３によって覆われることによって空気流が流れる導風路１１ｂが形成される。回路基板１３は光ピックアップ筐体１１の外周側にネジ止めされている。
【００５９】
このとき、レーザ駆動回路素子１５は回路基板１３の導風路１１ｂに面した側に取り付けられている。また、光ピックアップ筺体１１の上面に取り付けられている放熱カバー１４には、光ピックアップ筺体１１上面の導風路１１ｂの開口部５ａが形成されている。光ピックアップ筺体１１の下面には開口部５ｂが形成され、この開口部５ｂから光ディスク３に対向する面まで連通するように導風路１１ｂの開口と略同一形状となる開口部５ａが形成される。
【００６０】
ただし、光ピックアップ筺体１１に設けた導風路１１ｂは図７のように、放熱カバー１４に設けた開口部５ａと同一の断面積でなくともよく、例えば図８に示すように、導風路１１ｂの断面積をレーザ駆動回路素子１５部分に向かって狭めるような構造であってもよい。
【００６１】
本実施例によれば、導風路１１ｂ中のレーザ駆動回路素子１５周囲に導かれる空気の流速が増大し、レーザ駆動回路素子１５の温度上昇を低減し、レーザ素子１７の過度の温度上昇を低減できるため、光ピックアップ装置１の信頼性の低下を防止することができる。
【実施例３】
【００６２】
第３の実施例を図９、図１０で説明する。
【００６３】
図９は第三の実施例を備えた光ピックアップの斜視図である。
【００６４】
図１０は図９のＡ−Ａ’線断面図である。
【００６５】
図９、図１０において、第三の実施例は第一の実施例と同様に、光ピックアップ筺体１１には、光ディスク３に対向する上面から光ピックアップ筺体１１下面まで、凹形状に窪んだ溝１１ａを形成されている。この凹形状に窪んだ溝１１ａは回路基板１３によって覆われることによって空気流が流れる導風路１１ｂが形成される。回路基板１３は光ピックアップ筐体１１の外周側にネジ止めされている。
【００６６】
このとき、レーザ駆動回路素子１５は回路基板１３の導風路１１ｂに面した側に取り付けられている。また、光ピックアップ筺体１１の上面に取り付けられている放熱カバー１４には、光ピックアップ筺体１１上面の導風路１１ｂの開口部５ａが形成されている。光ピックアップ筺体１１の下面には開口部５ｂが形成され、この開口部５ｂから光ディスク３に対向する面まで連通するように導風路１１ｂの開口と略同一形状となる開口部５ａが形成される。
【００６７】
ただし、放熱カバー１４の開口部５ａは、放熱カバー１４の対物レンズ対向面より光ディスク３に近づけてもよい。その場合、光ピックアップ筺体１１に形成した導風路１１ｂと略同一断面形状のダクト１４ａ（筒状）を放熱カバー１４上に形成し、開口部５ａを光ディスク３の板面に近づける構造となっている。
【００６８】
光ディスク３に近いほど回転によって生じる空気流が早いため圧力は低くなる。例えば、開口部５ａを対物レンズ１６と同一の高さまで伸ばし、光ディスク３と開口部５ａの距離を1mmとすることで導風路１１ｂ内の空気流６ａ、６ｂの流速を向上させることができる。また、ダクト１４ａを形成することで放熱カバー１４の表面積が増加するため、レーザ素子１７の放熱性能も向上し、レーザ素子１７の温度上昇を抑制することができるため、光ピックアップ装置１の信頼性向上を実現できる。
【００６９】
本発明の発明者は、第三の実施例における導風路１１ｂ中の空気流速値を図１１のように数値流体シミュレーション（ＣＦＤ：  Ｃｏｍｐｕｔａｔｉｏｎａｌ  Ｆｌｕｉｄ  Ｄｙｎａｍｉｃｓ）により見積もった。
【００７０】
図１１は数値流体シミュレーションの結果を示すグラフ図である。
【００７１】
図１１において、光ディスクの回転数が９０００ｒｐｍ（ディスク外周領域でおよそ７．５ｍ／ｓの空気流速）の時、本実施の形態において、光ピックアップ筺体１１に形成した導風路１１ｂ内のレーザ駆動回路素子１５周囲の空気流速値は、光ディスク３と開口部５ａの距離に依存し、光ディスク３と開口部５ａの距離を３ｍｍとした時に比べて、距離を１ｍｍとした時の流速値は６．３倍に増大することを確認した。
【実施例４】
【００７２】
第４の実施例を図１２、図１３で説明する。
【００７３】
図１２は第四の実施例を備えた光ピックアップの斜視図である。
【００７４】
図１３は図１２のＡ−Ａ’線断面図である。
【００７５】
第４の実施例は第１の実施例と同様に、光ピックアップ筺体１１には、光ディスク３に対向する上面から光ピックアップ筺体１１下面まで、凹形状に窪んだ溝１１ａを形成されている。この凹形状に窪んだ溝１１ａは回路基板１３によって覆われることによって空気流が流れる導風路１１ｂが形成される。回路基板１３は光ピックアップ筐体１１の外周側にネジ止めされている。
【００７６】
このとき、レーザ駆動回路素子１５は回路基板１３の導風路１１ｂに面した側に取り付けられている。また、光ピックアップ筺体１１の上面に取り付けられている放熱カバー１４には、光ピックアップ筺体１１上面の導風路１１ｂの開口部５ａが形成されている。光ピックアップ筺体１１の下面には開口部５ｂが形成され、この開口部５ｂから光ディスク３に対向する面まで連通するように導風路１１ｂの開口と略同一形状となる開口部５ａが形成される。
【００７７】
ただし、放熱カバー１４は光ピックアップ筺体１１上面近くに配置されなくてもよい。例えば放熱カバー１４を光ピックアップ筺体１１上面より、光ディスク３により近い位置に取り付ける構造としてもよい。その際、光ピックアップ筺体１１に形成した導風路１１ｂの開口と略同一断面形状のダクト１４ｂを形成し、導風路１１ｂと放熱カバー１４の開口部５ａを連通する構造とする。
【００７８】
放熱カバー１４を光ディスク３により近い位置に取り付ける構造とすることで開口部５ａが光ディスク３により近づくので光ディスク３の回転によって生じる回転流４の流速が増大して開口５ａの圧力が下がることになる。そのため開口部５ａと開口部５ｂとの間の圧力差が大きくなり、導風路１１ｂ内に生じる空気流６ａ、６ｂの流速が増大し、レーザ駆動回路素子１５の放熱性能が向上することになる。
【００７９】
さらに、放熱カバー１４表面を流れる回転流４の流速も速くなり、放熱カバー１４の放熱能力が増大し、レーザ素子１７の温度上昇を低減できるため、光ピックアップ装置１の信頼性の低減を防ぐことができる。
【実施例５】
【００８０】
第５の実施例を図１４、図１５で説明する。
【００８１】
図１４は第五の実施例を備えた光ピックアップの実施例を備えた光ピックアップの斜視図である。
【００８２】
図１５は図１４のＡ−Ａ’線断面図である。
【００８３】
図１４、図１５に示す光ピックアップ装置１において、導風路１１ｂを形成する空間は光ピックアップ筺体１１の凹部によって形成されなくてもよく、回路基板１３によって凹部を形成し、光ピックアップ筺体１１の側面と回路基板１３の凹部によって形成される空間を導風路１１ｂとしてもよい。
【００８４】
図１５は、回路基板１３に凹形状を形成することで、導風路１１ｂを形成したものである。このように回路基板１３を凹形状に形成することで、導風路１１ｂのうち、３面が回路基板１３によって形成されるため、回路基板１３の凹形状内面をレーザ駆動回路素子１５の拡大伝熱面とみなすことができる。さらに、レーザ駆動回路素子１５をレーザ素子１７から遠ざけることができるため、レーザ素子１７の温度上昇を防ぐことができる。導風路１１ｂ内を流れる空気流により、レーザ駆動回路素子１５の放熱を促進することができる。したがって、レーザ素子１７の温度上昇を抑えることができ、光ピックアップ装置１の信頼性低下を防ぐことができる。
【００８５】
以上のごとく、本発明によれば光ディスクの回転によって生じる光ディスク近傍の負圧部と光ピックアップ装置下部の大気圧部分とが光ピックアップ筺体の溝とレーザ駆動回路基板によって形成された導風路によって接続される。この圧力差によって導風路内に空気流が生じ、導風路内に配置したレーザ駆動回路素子に空気流を直接導くことで、レーザ駆動回路素子の放熱を促進することができる。これにより、レーザ駆動回路素子の放熱性能を向上してレーザ素子の過度の温度上昇を抑制することで、光ピックアップ装置の信頼性を高めることができる。
【００８６】
以上の説明では１個のレーザ素子を搭載した光ピックアップを実施例として説明した。しかし実際の製品はＣＤ用のレーズ素子とＤＶＤ用のレーザ素子の２個搭載したものが主流である。しかしこの場合でも本実施例を採用することが可能である。
【００８７】
さらにはＢＤ（Blu-ray Disc）用レーザ素子を搭載した機種もあり、その場合はＣＤ用とＤＶＤ用は赤系のレーザ素子であるため共用できので、やはりレーザ素子を２個搭載となる。この場合でも本実施例を採用することが可能である。
【符号の説明】
【００８８】
１…光ピックアップ、２…光ドライブ装置、３…光ディスク、３ａ…光ディスクの回転方向、４…回転流、５ａ、５ｂ…開口部、６ａ、６ｂ…空気流、１１…光ピックアップ筺体、１１ａ…溝、１１ｂ…導風路、１２…フレキシブルプリント基板、１３…回路基板、１４…放熱カバー、１４ａ、１４ｂ…放熱カバーダクト、１５…レーザ駆動回路素子、１６…対物レンズ、１６ａ…対物レンズ駆動装置、１７…レーザ素子、２２ａ、２２ｂ…光ピックアップ案内軸、２３ａ、２３ｂ…光ディスク載置板導風路、２４ａ、２４ｂ…光ディスク装置駆動部材。
【図１】
2011150769.tif 000003
【図２】
2011150769.tif 000004
【図３】
2011150769.tif 000005
【図４】
2011150769.tif 000006
【図５】
2011150769.tif 000007
【図６】
2011150769.tif 000008
【図７】
2011150769.tif 000009
【図８】
2011150769.tif 000010
【図９】
2011150769.tif 000011
【図１０】
2011150769.tif 000012
【図１１】
2011150769.tif 000013
【図１２】
2011150769.tif 000014
【図１３】
2011150769.tif 000015
【図１４】
2011150769.tif 000016
【図１５】
2011150769.tif 000017
【手続補正書】
【提出日】平成23年1月19日(2011.1.19)
【手続補正１】
【補正対象書類名】明細書
【補正対象項目名】００２６
【補正方法】変更
【補正の内容】
【００２６】
【図１】図１は光ピックアップ装置１を搭載した光ディスク装置２の概略内部構成を示す上面図である。
【図２】図２は図１のＡ−Ａ’断面図である。
【図３】図３は光ピックアップ装置の斜視図である。
【図４】図４は図３のＡ−Ａ’線断面図である。
【図５】図５は図４のＢ−Ｂ’線断面図である。
【図６】図６は第二の実施例を備えた光ピックアップ装置の斜視図である。
【図７】図７は図６のＡ−Ａ’線断面図である。
【図８】図８は図７のＢ−Ｂ’線断面図である。
【図９】図９は第三の実施例を備えた光ピックアップの斜視図である。
【図１０】図１０は図９のＡ−Ａ’線断面図である。
【図１１】図１１は数値流体シミュレーションの結果を示すグラフ図である。
【図１２】図１２は第四の実施例を備えた光ピックアップの斜視図である。
【図１３】図１３は図１２のＡ−Ａ’線断面図である。
【図１４】図１４は第五の実施例を備えた光ピックアップの斜視図である。
【図１５】図１５は図１４のＡ−Ａ’線断面図である。[発明を実施するための形態]
【手続補正２】
【補正対象書類名】明細書
【補正対象項目名】００４７
【補正方法】変更
【補正の内容】
【００４７】
光ピックアップ筺体１１の上面に取り付けられている放熱カバー１４には導風路１１ｂの開口となる開口部５ａが形成されている。この開口部５ａと連通し、光ピックアップ筺体１１の下面には開口部５ｂが形成されている。この開口部５ｂから光ディスク３に対向する面の開口部５ａまでは導風路１１ｂによって連通することになる。これらの開口部
５ａ、５ｂによって道風路１１ｂは略同一形状となった、言わばトンネル状の通風路となっている。このとき、光ピックアップ筺体１１に形成した溝１１ａは例えば深さ３ｍｍ、幅１０ｍｍ程度でよい。
【手続補正３】
【補正対象書類名】明細書
【補正対象項目名】００５０
【補正方法】変更
【補正の内容】
【００５０】
光ディスク３の回転方向３ａに沿う回転によって、光ディスク３の近傍では非常に速い空気の流れ４が生じる。この速い流れ４によって光ディスク表面近傍では圧力が低下する。一方、光ディスク３から離れた位置では、空気の流れは非常に弱いため空気の流れは遅く、圧力は大気圧程度である（光ディスク載置板導風路２３ａ、２３ｂを境として光ディスク３側近傍が負圧、光ディスク載置板導風路２３ａ、２３ｂ下側が大気圧）。２４ａ、２４ｂは光ディスク装置駆動部材である。
【手続補正４】
【補正対象書類名】明細書
【補正対象項目名】００６７
【補正方法】変更
【補正の内容】
【００６７】
ただし、放熱カバー１４の開口部５ａは、放熱カバー１４の対物レンズ対向面より光ディスク３に近づけてもよい。その場合、放熱カバー１４に筒状の立ち上がり部を設け、放熱カバーダクト１４ａを形成する。このとき、放熱カバーダクト１４ａは光ピックアップ筺体１１に形成した導風路１１ｂと略同一断面形状とし、開口部５ａを光ディスク３の板面に近づける構造となっている。図９から分かるように、放熱カバーダクト１４ｂは、回路基板１３とともに立ち上がり部を構成することとなる。
【手続補正５】
【補正対象書類名】明細書
【補正対象項目名】００７７
【補正方法】変更
【補正の内容】
【００７７】
ただし、放熱カバー１４は光ピックアップ筺体１１上面近くに配置されなくてもよい。例えば放熱カバー１４を光ピックアップ筺体１１上面より、光ディスク３により近い位置に取り付ける構造としてもよい。その際、光ピックアップ筺体１１に形成した導風路１１ｂの開口と略同一断面形状の放熱カバーダクト１４ｂを形成し、導風路１１ｂと放熱カバー１４の開口部５ａを連通する構造とする。図１３から分かるように、放熱カバーダクト１４ｂは、回路基板１３とともに立ち上がり部を構成する。そして、放熱カバー１４の一部１４ｃがこの立ち上がり部の先端に対向する前記光ディスク面への空気案内板となる。
【手続補正６】
【補正対象書類名】明細書
【補正対象項目名】００８１
【補正方法】変更
【補正の内容】
【００８１】
図１４は第五の実施例を備えた光ピックアップの斜視図である。
【手続補正７】
【補正対象書類名】明細書
【補正対象項目名】００８６
【補正方法】変更
【補正の内容】
【００８６】
以上の説明では１個のレーザ素子を搭載した光ピックアップを実施例として説明した。
しかし実際の製品はＣＤ用のレーザ素子とＤＶＤ用のレーザ素子の２個搭載したものが主
流である。しかしこの場合でも本実施例を採用することが可能である。
【手続補正８】
【補正対象書類名】特許請求の範囲
【補正対象項目名】全文
【補正方法】変更
【補正の内容】
【特許請求の範囲】
【請求項１】
レーザ発光部となるレーザ素子と、このレーザ素子の発光を制御するレーザ駆動回路素子と、前記レーザ素子と熱的に接続されたカバーと、前記レーザ駆動回路素子を搭載し、前記光ピックアップ筺体の側面に固定された回路基板と、レーザ光を光ディスク上に集光させる対物レンズと、この対物レンズを駆動させる対物レンズ駆動装置とを収納した光ピックアップ筐体を備えた光ピックアップ装置において、
光ディスクと対向する前記光ピックアップ筺体の上面から前記光ピックアップ筺体下面まで窪んだ溝を設け、この溝を前記レーザ駆動回路素子を搭載した回路基板で閉塞して空気の導風路を設けるとともに、
前記レーザ駆動回路素子を前記導風路内に位置させたことを特徴とする光ピックアップ装置。
【請求項２】
請求項１記載の光ピックアップにおいて、
前記光ディスク側に面する前記カバーに前記導風路と連通する開口部を設けたことを特徴とする光ピックアップ装置。
【請求項３】
請求項１記載の光ピックアップ装置において、
前記導風路の断面積が前記レーザ駆動回路素子部分で狭められていることを特徴とする光ピックアップ装置。
【請求項４】
請求項１記載の光ピックアップ装置において、
前記カバーの開口部が前記光ディスクから３mm以内の距離に形成されていることを特徴とする光ピックアップ装置。
【請求項５】
請求項１記載の光ピックアップ装置において、
前記カバーに設けられた開口部に筒状の立上がり部を設け、この立上がりの先端を対向前記光ディスク面に接近させたことを特徴とする光ピックアップ装置。
【請求項６】
請求項１記載の光ピックアップ装置において、
前記カバーに設けられた開口部に筒状の立上がり部を設け、この立上がり部の先端に対向する前記光ディスク面への空気案内板を設けたことを特徴とする光ピックアップ装置。
【請求項７】
請求項１記載の光ピックアップ装置において、
前記導風路を前記回路基板で形成したことを特徴とする光ピックアップ装置。
【手続補正９】
【補正対象書類名】図面
【補正対象項目名】図７
【補正方法】変更
【補正の内容】
【図７】
2011150769.tif 000018
【手続補正１０】
【補正対象書類名】図面
【補正対象項目名】図８
【補正方法】変更
【補正の内容】
【図８】
2011150769.tif 000019
【手続補正１１】
【補正対象書類名】図面
【補正対象項目名】図９
【補正方法】変更
【補正の内容】
【図９】
2011150769.tif 000020